(57)【要約】【課題】一般ユーザが専用言語などを用いることなく、容易にホームページを作成することができ、ホームページの内容の修正も容易に行うことができるホームページ作成システムを提供する。【解決手段】ホームページ作成システムにおいて、ホームページ作成処理部１１１は、ユーザが選択したホームページのテンプレート、およびユーザが選択したテンプレートの項目に対して、ユーザから入力された項目情報に基づいて、一部の行に、ホームページ構成情報に対応する特殊タグが挿入された表形式のデータテーブルを生成し、生成した表形式のデータテーブルをユーザに出力し、ユーザが、表形式のデータテーブルの一部の行以外に、特殊タグに基づいて入力したコンテンツ情報を含む表形式のデータテーブルを入力し、コンテンツ情報を含む表形式のデータテーブルに基づいて、ホームページ構成情報を作成する。【選択図】図１
2014157441.tif 000002
【特許請求の範囲】
【請求項１】
ユーザから入力されたホームページの作成に関する情報に基づいて、公開する前記ホームページを構成するホームページ構成情報を作成するホームページ作成方法であって、
前記ホームページ構成情報を作成するホームページ作成処理部により、
前記ユーザが選択した前記ホームページのテンプレート、および前記ユーザが選択した前記テンプレートの項目に対して、前記ユーザから入力された項目情報に基づいて、一部の行に、前記ホームページ構成情報に対応する特殊タグが挿入された表形式のデータテーブルを生成し、
生成した前記表形式のデータテーブルを前記ユーザに出力し、
前記ユーザが、前記表形式のデータテーブルの前記一部の行以外に、前記特殊タグに基づいて入力したコンテンツ情報を含む前記表形式のデータテーブルに基づいて、前記ホームページ構成情報を作成する、ホームページ作成方法。
【請求項２】
請求項１に記載のホームページ作成方法において、
前記データテーブルは、
１行目に前記ホームページの大分類および中分類を示す特殊タグが挿入され、  ２行目に前記１行目の特殊タグに関係する項目を示す特殊タグが挿入される、ホームページ作成方法。
【請求項３】
請求項２に記載のホームページ作成方法において、
前記データテーブルは、
３行目に前記コンテンツ情報の入力の目印になる情報が入力される、ホームページ作成方法。
【請求項４】
請求項３に記載のホームページ作成方法において、
前記データテーブルは、
ＣＳＶ形式の表形式である、ホームページ作成方法。
【請求項５】
ユーザから入力されたホームページの作成に関する情報に基づいて、公開する前記ホームページを構成するホームページ構成情報を作成するホームページ作成システムであって、  前記ユーザが操作するユーザ端末と、
前記ユーザ端末の操作に基づいて、前記ホームページ構成情報を作成するホームページ作成処理部と、を備え、
前記ホームページ作成処理部は、
前記ユーザが選択した前記ホームページのテンプレート、および前記ユーザが選択した前記テンプレートの項目に対して、前記ユーザから入力された項目情報に基づいて、一部の行に、前記ホームページ構成情報に対応する特殊タグが挿入された表形式のデータテーブルを生成し、
生成した前記表形式のデータテーブルを前記ユーザに出力し、
前記ユーザが、前記表形式のデータテーブルの前記一部の行以外に、前記特殊タグに基づいて入力したコンテンツ情報を含む前記表形式のデータテーブルに基づいて、前記ホームページ構成情報を作成する、ホームページ作成システム。
【請求項６】
請求項５に記載のホームページ作成システムにおいて、
前記データテーブルは、
１行目に前記ホームページの大分類および中分類を示す特殊タグが挿入され、
２行目に前記１行目の特殊タグに関係する項目を示す特殊タグが挿入される、ホームページ作成システム。
【請求項７】
請求項６に記載のホームページ作成システムにおいて、
前記データテーブルは、
３行目に前記コンテンツ情報の入力の目印になる情報が入力される、ホームページ作成システム。
【請求項８】
請求項７に記載のホームページ作成システムにおいて、
前記データテーブルは、
ＣＳＶ形式の表形式である、ホームページ作成システム。
【発明の詳細な説明】
【技術分野】
【０００１】
本発明は、ホームページを公開するための構成情報を作成するホームページ作成方法およびホームページ作成システムに関し、特に、スマートフォン用のホームページ作成および管理を容易にする技術に関する。
【背景技術】
【０００２】
従来、スマートフォン用のホームページ作成は、例えば１ページずつ記入し、画像などを貼り付けることで作成していた。
【０００３】
また、従来からホームページ作成用のアプリケーションは多数知られているが、作成する手順は、同様なものであった。
【発明の概要】
【発明が解決しようとする課題】
【０００４】
しかしながら、従来のホームページ作成では、１ページずつ本文を記入し、画像を貼り付けることにより作成していたため、手間がかかっていた。
【０００５】
また、ＸＭＬ、ＨＴＭＬなどの専用のｗｅｂ作成用の言語があるが、構造が複雑であり、一般ユーザにおいては、そのままでは使うのが難しいという問題があった。
また、作成したホームページの内容の修正も手間がかかるという問題があった。
【０００６】
そこで、本発明の目的は、一般ユーザが複雑な専用言語などを用いることなく、容易にホームページを作成することができ、ホームページの内容の修正も容易に行うことができるホームページ作成方法およびホームページ作成システムを提供することにある。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次の通
りである。
【０００９】
すなわち、一部の行に特殊なタグの入った、本文が空白のデータテーブルを選択、あるいはユーザ自ら作成した、特殊なタグの入った本文空白のデータテーブルを用意。これにホームページを構成する要素を、特殊なタグに合わせて１ページ分を１行ごとにまとめて記述してゆく。行の内容は、テキスト文や画像などのファイル名となる。
【００１０】
出来上がったデータテーブルに対し、用意されたデザインテンプレート、メニューの表示表法を別途選択し、システムを稼働すると、システム処理部はこれらを解釈し、トップページ、メニューページ、作成した行数分のページを生成する。生成されたページは全て互いにリンクされ、多数のページで構成されるサイトが一気に生成される仕組みとなっている。
【発明の効果】
【００１１】
本願において開示される発明のうち、代表的なものによって得られる効果を簡単に説明すれば以下の通りである。
【００１２】
すなわち、代表的なものによって得られる効果は、一般ユーザが専用言語などを用いることなく、容易にホームページを作成することができ、ホームページの内容の修正も容易に行うことができる。
【図面の簡単な説明】
【００１３】
【図１】本発明の一実施の形態に係るホームページ作成システムの構成を示す構成図である。
【図２】本発明の一実施の形態に係るホームページ作成システムの動作を示すフローチャートである。
【図３】本発明の一実施の形態に係るホームページ作成システムで使用するデータテーブルの一例を示す図である。
【図４】本発明の一実施の形態に係るホームページ作成システムの基本的な構造のデータテーブルの具体例である。
【図５】本発明の一実施の形態に係るホームページ作成システムの基本的な構造の表示例である。
【図６】本発明の一実施の形態に係るホームページ作成システムのカタログのデータテーブルの具体例である。
【図７】本発明の一実施の形態に係るホームページ作成システムのカタログの表示例である。
【図８】本発明の一実施の形態に係るホームページ作成システムの単語カードのデータテーブルの具体例である。
【図９】本発明の一実施の形態に係るホームページ作成システムの単語カードの表示例である。
【図１０】本発明の一実施の形態に係るホームページ作成システムの選択肢問題を含んだ教材のデータテーブルの具体例である。
【図１１】本発明の一実施の形態に係るホームページ作成システムの選択肢問題を含んだ教材の表示例である。
【発明を実施するための形態】
【００１４】
以下、本発明の実施の形態を図面に基づいて詳細に説明する。なお、実施の形態を説明するための全図において、同一の部材には原則として同一の符号を付し、その繰り返しの説明は省略する。
＜ホームページ作成システムの構成＞
【００１５】
図１により、本発明の一実施の形態に係るホームページ作成システムの構成について説明する。図１は本発明の一実施の形態に係るホームページ作成システムの構成を示す構成図である。
【００１６】
図１において、ホームページ作成システムは、ホームページを作成するユーザが使用するユーザ端末１００がネットワーク１０２を介して接続するサーバ１０１から構成されている。
【００１７】
サーバ１０１は、ユーザのログイン認証などを行う認証処理部１１０、ホームページ作成処理を行うホームページ作成処理部１１１、ホームページのデザインテンプレートや、メニュー等のナビゲーションテンプレート、ページを構成する要素を指定するコマンドとなる特殊タグなどのデータを格納する記憶部１１２を有している。
【００１８】
ホームページを作成するユーザは、ユーザ端末１００から、ネットワーク１０２を介してサーバ１０１にアクセスし、ログインすることにより、ホームページ作成を行う。
【００１９】
そして、サーバ１０１のホームページ作成処理部１１１で、ユーザが入力したホームページの作成に関する情報に基づいて、ＷＥＢサーバなどで認識可能な形式のホームページ構成情報を作成し、ホームページ構成情報をＷＥＢサーバなどにアップロードするなどして、ホームページとして公開する。
【００２０】
なお、図１に示す例では、ユーザ端末１００からサーバ１０１にアクセスして、ホームページを作成する構成になっているが、サーバ１０１のホームページ作成処理部１１１の機能を持つアプリケーションなどを、ユーザ端末側にインストールして、ホームページの情報を作成するようにすることも可能である。
＜ホームページ作成システムの動作＞
【００２１】
次に、図２および図３により、本発明の一実施の形態に係るホームページ作成システムの動作について説明する。図２は本発明の一実施の形態に係るホームページ作成システムの動作を示すフローチャート、図３は本発明の一実施の形態に係るホームページ作成システムで使用するデータテーブルの一例を示す図である。
【００２２】
まず、ユーザはユーザ端末１００から、ネットワーク１０２を介してサーバ１０１にアクセスし、サーバ１０１の認証処理部１１０により認証され、ログインする（ステップＳ１００）。
【００２３】
ユーザはログイン後に、記憶部１１２などに予め用意されている、例えば、カタログ、お勧め新製品情報、動画ニュース、マガジン、ＦＡＱ、チュートリアル、ライブラリー、用語集、アルバム、評価、メンバー紹介、コレクション、ハウツー、会話表現データベース、およびＥラーニングなどのホームページ作成のテンプレートの中から、必要なテンプレートを選択する（ステップＳ１０１）。
【００２４】
このテンプレートは表形式のファイルであり、予めサーバ１０１のホームページ作成処理部１１１が解釈できる特殊タグが、テンプレートにあわせて挿入されており、ユーザは、テンプレートを選ぶだけ、あるいはこのテンプレートをサーバ１０１に用意されたテンプレートエディタでさらに編集し直すだけで、データテーブルを作成できる（ステップＳ１０２、ステップＳ１０３）。
【００２５】
データテーブルは、図３に示すように、特殊なタグを入れるライン２００、ユーザが目印のために記入するライン２０１、コンテンツのデータを入れるライン２０２から構成されている。
【００２６】
タグを入れるライン２００の１行目はグループ名の特殊タグが挿入され、タグを入れるライン２００の２行目はエレメント名の特殊タグが挿入される。
【００２７】
グループ名には、範囲指定名とチャング名の２種類があり、範囲指定名は、例えば、「▼▼ナビデータ」、「▼▼ページ」、「▼▼囲み」などがあり、ホームページ全体の設定を行うものであり、大分類に該当する。
【００２８】
また、チャング名は、「▼メニュー」、「▼インデックス」、「▼ＦＡＱインデックス」、「▼本文」などがあり、中分類に該当する。
【００２９】
図３に示す例では、１行目のグループ名には、範囲指定名の「▼▼ナビデータ」、チャング名の「▼メニュー」、「▼インデックス」、「▼本文」の特殊タグが挿入されている
。
【００３０】
また、２行目のエレメント名には、「▽ページＩＤ」、「▽更新日時」、「▽メニュー１」、「▽メニュー２」、「▽タイトル」、「▽大見出し」、「▽小見出し」、「▽画像」
の特殊タグが挿入されている。
【００３１】
なお、特殊タグの先頭に使用する「▼▼」、「▼」、「▽」などの記号は、これに限らず、区別できる記号であれば、○、●、□、■などその他の記号などを使用してもよい。  これらの記号＋文字の組み合わせにより、特殊タグが構成されており、この特殊タグがコマンドとして区別できるものであればよい。
【００３２】
また、ユーザが目印のために記入するライン２０１には、ユーザが自由に文字列などを入力することができ、コンテンツ部分を入力する際に目印になる情報として利用してもよい。
【００３３】
また、表計算アプリケーションなどで、データを出力する際に、列名を１行目に出力する場合などで、表計算アプリケーションなどから出力したデータを使用するなどする場合にも、ユーザが目印のために記入するライン２０１に、表計算アプリケーションの列名が入力でき、テーブルを読みやすくすることができる。
【００３４】
また、ユーザが目印のために記入するライン２０１のデータは、検索式などでデータを作成する場合などでは、その検索式の検索対象として利用することもできる。
【００３５】
ユーザは、特殊タグの内容に基づいて、管理データ、メニュー、本文のテキスト、リンク先の情報、画像などのコンテンツをデータテーブル上の１行に入力し、データテーブル上の１行のデータが、ホームページのツリー構造の表示順での上位〜最下位の１つのページとして認識されるようになっている。
【００３６】
なお、データテーブルは、表形式で作成でき、特殊なタグを入れるライン２００、ユーザが目印のために記入するライン２０１、コンテンツのデータを入れるライン２０２を入力できるものであれば、どのような形式でもよい。
【００３７】
例えば、ユーザには、表形式の代表例であるＣＳＶ形式でデータテーブルをダウンロードさせ（ステップＳ１０４）、ユーザは表計算アプリケーションでＣＳＶファイルを取り込み、表計算アプリケーションでコンテンツの入力などの編集を行い（ステップＳ１０５）、編集後にＣＳＶファイルとして保存して、サーバ１０１に送信すればよい（ステップＳ１０６）。
【００３８】
表計算アプリケーションは、代表的な表形式ファイルが扱えれば、どれでも使用することができる。
【００３９】
さらに、サーバ１０１には表形式のデータを編集できる、オンラインアプリケーションもサービスされ、ユーザはオンライン上でコンテンツの入力、編集も行え、この場合は、ダウンロード（ステップＳ１０４）、送信（ステップＳ１０６）の作業は省け、ユーザはデータシートをオンラインで開き（ステップＳ１０４）、オンライン上でコンテンツの入力などの編集を行った後（ステップＳ１０５）、オンラインで保存をするだけでよい（ステップＳ１０６）。
【００４０】
そして、ホームページ作成処理部１１１は、ユーザから送信、あるいは編集、保存されたデータテーブルに基づいて、ホームページを構成するデータを生成（ステップＳ１０７）し、作成したデータを、例えば、ＷＥＢサーバの指定場所にコピーして外部に公開できるようにする（ステップＳ１０８）。
【００４１】
このように、本実施の形態では、データテーブルの１行目と２行目にコマンドとして機能する特殊タグを挿入することで、例えば、１階層目のメニュー、２階層目のメニュー、…ｎ階層目のメニュー、そのメニューに表示される本文などを、表示順で、上位〜最下位の一連のデータとして認識できるようになっているので、一般ユーザが専用言語などを用いることなく、容易にホームページを作成することができる。
【００４２】
また、ホームページの内容を修正する場合も、データテーブル上でコンテンツを修正し、修正したコンテンツを、サーバ１０１に送信、あるいはオンラインテーブルエディタで編集し保存することで容易にホームページの修正を行うことができる。
＜ホームページ作成の具体例＞
【００４３】
次に、図４〜図１１により、本発明の一実施の形態に係るホームページ作成システムのデータの具体例について説明する。図４〜図１１は本発明の一実施の形態に係るホームページ作成システムのデータの具体例についての説明図である。
【００４４】
図４は基本的な構造のデータテーブルの具体例、図５は図４の基本的な構造の表示例、図６はカタログのデータテーブルの具体例、図７はカタログの表示例、図８は単語カードのデータテーブルの具体例、図９は単語カードの表示例、図１０は選択肢問題を含んだ教材のデータテーブルの具体例、図１１は選択肢問題を含んだ教材の表示例である。
【００４５】
なお、図３に示した例では、大分類および中分類に該当する範囲指定名およびグループ名は、「▼▼ナビデータ」や「▼メニュー」など区別された特殊タグを使用していたが、図４、図６、図８、および図１０に示すデータテーブルの具体例では、大分類の「▼▼ナビデータ」も「▼ナビデータ」という特殊タグを使用している。
【００４６】
これは、データテーブルの１行目に挿入される特殊タグが、ホームページ作成システムで認識できればよいため、ホームページ作成システムでの処理としては、同様の処理が可能である。
【００４７】
また、図４、図６、図８、および図１０に示すデータテーブルの具体例では、表示されている範囲において、データが切れている箇所があるが、実際には、そのデータテーブルのデータ部分には、表示されているデータ以外のデータも存在している。
【００４８】
また、図５、図７、図９、および図１１では、スマートフォン上の表示例で説明しているが、パソコンやその他の端末上に表示するホームページを作成することも可能である。
○基本的な構造
【００４９】
まず、基本的な構造としては、図４に示すように、データテーブルの１行目には、「▼ナビデータ」、「▼メニュー」、「▼インデックス」、および「▼本文」の特殊タグが挿入され、データテーブルの２行目には、「▽ページＩＤ」、「▽更新日時」、「▽メニュー１」、「▽メニュー２」、「▽タイトル」、「▽リード」、「▽画像」、「▽大見出し」、「▽画像」、および「▽文」の特殊タグが挿入されている。
【００５０】
「▼ナビデータ」欄には、コンテンツを管理する管理情報を入力し、「▼ナビデータ」に関係する項目として、「▽ページＩＤ」、および「▽更新日時」がある。
【００５１】
「▽ページＩＤ」は、コンテンツを特定するページＩＤが入力され、「▽更新日時」は、コンテンツを更新した更新日時が記録される。
【００５２】
この「▼ナビデータ」の情報は、コンテンツの管理のために使用され、ホームページ上には表示されない。
【００５３】
「▼メニュー」欄にはメニューを入力し、「▼メニュー」に関係する項目として、「▽メニュー１」、および「▽メニュー２」がある。
【００５４】
「▽メニュー１」の内容は、図５（ａ）に示すように、１階層目のメニューとなり、その１階層目のメニューをクリックした際の２階層目のメニューが「▽メニュー２」の内容となり、図５（ｂ）に示す表示となる。
【００５５】
このメニューについては、コンテンツに応じて、２行目のメニューの項目を増減することにより、メニュー階層を増減することが可能である。
【００５６】
そして、「▼インデックス」欄には、インデックスを入力し、「▼インデックス」に関係する項目として、「▽タイトル」、「▽リード」、および「▽画像」がある。
【００５７】
「▽タイトル」は、図５（ｃ）に示すように、メニューをクリックした際のタイトルの表示となり、タイトルの情報として、「▽リード」および「▽画像」の内容に基づいたリードや画像などのサムネイルの表示となる。
【００５８】
そして、「▼本文」欄には、タイトルの内容を示す本文を入力し、「▼本文」に関係する項目として、「▽大見出し」、「▽画像」、および「▽文」がある。
【００５９】
「▽大見出し」は、図５（ｄ）に示すように、インデックスのタイトルをクリックした際の本文の見出しの表示となり、見出しの情報として、「▽画像」および「▽文」の内容に基づいた、画像や文の表示となる。
○カタログ
【００６０】
また、カタログとしては、図６に示すように、データテーブルの１行目には、「▼ナビデータ」、「▼メニュー」、「▼おすすめインデックス」、および「▼本文」の特殊タグが挿入され、データテーブルの２行目には、「▽ページＩＤ」、「▽更新日時」、「▽メニュー１」、「▽画像」、「▽文」、「▽タイトル」、「▽サブタイトル」、「▽画像」、「▽定価」、「▽評価」、「▽画像」、「▽文」、「▽画像」、「▽ボタン」、および「▽ＵＲＬ」の特殊タグが挿入されている。
【００６１】
「▼ナビデータ」欄には、コンテンツを管理する管理情報を入力し、「▼ナビデータ」に関係する項目として、「▽ページＩＤ」、および「▽更新日時」がある。
【００６２】
「▽ページＩＤ」は、コンテンツを特定するページＩＤが入力され、「▽更新日時」は、コンテンツを更新した更新日時が記録される。
【００６３】
この「▼ナビデータ」の情報のうち、ページＩＤは、コンテンツの管理のために使用され、ホームページ上には表示されない。
【００６４】
「▼メニュー」欄にはメニューを入力し、「▼メニュー」に関係する項目として、「▽メニュー１」、「▽画像」、および「▽文」がある。
【００６５】
「▽メニュー１」、「▽画像」、および「▽文」は、図７（ａ）に示すように、シューズの種類のメニューとして、シューズの種類、画像やその説明の表示となる。
【００６６】
そして、「▼おすすめインデックス」欄には、各シューズのインデックスとなる情報を入力し、「▼おすすめインデックス」に関係する項目として、「▽タイトル」、「▽サブタイトル」、「▽画像」、「▽定価」、および「▽評価」がある。
【００６７】
「▽タイトル」、「▽サブタイトル」、「▽画像」、「▽定価」、および「▽評価」は、図７（ｂ）に示すように、例えばスポーツシューズのメニューをクリックした際のスポーツシューズのおすすめインデックスの表示となり、評価は、星の数での表示となる。
【００６８】
そして、「▼本文」欄には、タイトルの内容を示す本文を入力し、「▼本文」に関係する項目として、「▽画像」、「▽文」、「▽画像」、「▽ボタン」、および「▽ＵＲＬ」がある。
【００６９】
「▽画像」、「▽文」、および「▽画像」は、図７（ｃ）に示すように、おすすめインデックスをクリックした際のシューズの説明の表示となり、また、「▽ボタン」はホタンをクリックした際の別のサイトへのリンクの表示となり、リンクのボタンをクリックすると、「▽ＵＲＬ」で指定されたリンク先へのアクセスとなる。
○単語カード
【００７０】
また、単語カードとしては、図８に示すように、データテーブルの１行目には、「▼ナビデータ」、「▼メニュー」、「▼カードインデックス」、「▼表カード」、および「▼裏カード」の特殊タグが挿入され、データテーブルの２行目には、「▽ページＩＤ」、「▽更新日時」、「▽メニュー１」、「▽タイトル」、「▽中見出し」、「▽文」、「▽中見出し」、および「▽文」の特殊タグが挿入されている。
【００７１】
「▼ナビデータ」欄には、コンテンツを管理する管理情報を入力し、「▼ナビデータ」に関係する項目として、「▽ページＩＤ」、および「▽更新日時」がある。
【００７２】
「▽ページＩＤ」は、コンテンツを特定するページＩＤが入力され、「▽更新日時」は、コンテンツを更新した更新日時が記録される。
【００７３】
この「▼ナビデータ」の情報のうち、ページIDは、コンテンツの管理のために使用され、ホームページ上には表示されない。
【００７４】
「▼メニュー」欄にはメニューを入力し、「▼メニュー」に関係する項目として、「▽メニュー１」がある。
「▽メニュー１」は、図９（ａ）に示すように、重要用語の分類の表示となる。
【００７５】
そして、「▼カードインデックス」欄には、重要用語の単語を入力し、「▼カードインデックス」に関係する項目として、「▽タイトル」がある。
【００７６】
「▽タイトル」は目次であり、メニューをクリックした際の単語の一覧に表示される項目であり、単語の一覧からユーザが目的の単語をクリックして、単語の情報を表示する。
【００７７】
「▼表カード」欄、および「▼裏カード」欄には、それぞれカードの内容を入力し、「▼表カード」、および「▼裏カード」に関係する項目として、「▽中見出し」、および「▽文」がある。
【００７８】
「▼表カード」の「▽中見出し」、および「▽文」は、図９（ｂ）に示すように、タイトルでクリックされた単語とその単語を使用した例文の表示となり、「▼裏カード」の「▽中見出し」、および「▽文」は、「▼表カード」の日本語訳の表示となる。
【００７９】
なお、「▼表カード」および「▼裏カード」は、カードをタップすることにより切り替わるようになっている。
○選択肢問題を含んだ教材
【００８０】
選択肢問題を含んだ教材としては、図１０に示すように、データテーブルの１行目には、「▼ナビデータ」、「▼メニュー」、「▼インデックス」、および「▼設問」の特殊タグが挿入され、データテーブルの２行目には、「▽ページＩＤ」、「▽更新日時」、「▽メニュー１」、「▽メニュー２」、「▽タイトル」、「▽問題」、「▽画像」、「▽選択肢１」、「▽選択肢２」、「▽選択肢３」、「▽選択肢４」、「▽正解」、「▽音声」、「▽画像」、および「▽解説」の特殊タグが挿入されている。
【００８１】
「▼ナビデータ」欄には、コンテンツを管理する管理情報を入力し、「▼ナビデータ」に関係する項目として、「▽ページＩＤ」、および「▽更新日時」がある。
【００８２】
「▽ページＩＤ」は、コンテンツを特定するページＩＤが入力され、「▽更新日時」は、コンテンツを更新した更新日時が記録される。
【００８３】
この「▼ナビデータ」の情報のうち、ページＩＤは、コンテンツの管理のために使用され、ホームページ上には表示されない。
【００８４】
「▼メニュー」欄にはメニューを入力し、「▼メニュー」に関係する項目として、「▽メニュー１」、「▽メニュー２」がある。
【００８５】
「▽メニュー１」は、図１１（ａ）に示すように、１階層目のメニューとなり、その１階層目のメニューをクリックした際の２階層目のメニューが「▽メニュー２」となり、図１１（ｂ）に示す表示となる。
【００８６】
そして、「▼インデックス」欄には、設問の番号を入力し、「▼インデックス」に関係する項目として、「▽タイトル」がある。
【００８７】
「▽タイトル」は目次であり、メニューをクリックした際の設問の番号の一覧に表示される項目であり、設問の番号の一覧からユーザが目的の設問をクリックして、設問を表示する。
【００８８】
「▼設問」欄には設問の内容、選択肢および正解の情報などを入力し、「▼設問」に関係する項目として、「▽問題」、「▽画像」、「▽選択肢１」、「▽選択肢２」、「▽選択肢３」、「▽選択肢４」、「▽正解」、「▽音声」、「▽画像」、および「▽解説」がある。
【００８９】
「▽問題」、および「▽画像」は、図１１（ｃ）に示すように、設問の内容とその画像の表示となる。
【００９０】
また、図１１（ｃ）に示すように、「▽選択肢１」、「▽選択肢２」、「▽選択肢３」、および「▽選択肢４」の選択肢の表示が、選択項目としての表示となり、「▽正解」で指定された選択肢が選択された場合に「▽音声」、および「▽画像」で指定された音声や画像の表示となる。
【００９１】
また、図１１（ｃ）に示す解説を開く／閉じるがクリックされると、「▽解説」の項目の内容の表示となる。
【００９２】
このように、本実施の形態では、データテーブルの１行目および２行目に挿入する特殊タグにより、様々な種類のホームページを作成することができ、ユーザは、データテーブルの各項目にデータを入力するだけで、大量のページから構成されているホームページであっても、簡単に作成することが可能である。
【００９３】
また、メニューの増減などについても、データテーブルの項目を増減させることにより対応することができ、ホームページの構成自体に変更があった際の対応も容易に可能である。
【００９４】
また、その際のデータ入力も、データテーブル上の追加部分にデータを貼り付けたりして入力することができるので、ユーザの作業量を低減することが可能である。
【００９５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００９６】
１００…ユーザ端末、１０１…サーバ、１０２…ネットワーク、１１０…認証処理部、１１１…ホームページ作成処理部、１１２…記憶部。
【図１】
2014157441.tif 000003
【図２】
2014157441.tif 000004
【図３】
2014157441.tif 000005
【図４】
2014157441.tif 000006
【図６】
2014157441.tif 000007
【図８】
2014157441.tif 000008
【図１０】
2014157441.tif 000009
【図５】
2014157441.tif 000010
【図７】
2014157441.tif 000011
【図９】
2014157441.tif 000012
【図１１】
2014157441.tif 000013